(57)【要約】      （修正有）【課題】被験者の瞳孔間隔に合わせて多数本の検眼フレームが必要となるという問題点及びフロントフレームが撓むことにより検査精度が低下するという問題点を解決する検眼フレームを提供する。【解決手段】フロントフレーム１０に保持された左右のテストレンズ２５を有する検眼フレームＦにおいて、テンプル１１及び左右のテンプル１１を連結するフロントフレーム１０を有するベースフレーム１と、テストレンズ２５を交換自在に保持するレンズホルダ２１を備えたテストフレーム２と、このテストフレーム２をフロントフレーム１０に対して着脱自在とする着脱手段１４，２４とを有する。テストフレーム２′は中央で左右に分割されていてもよい。また、テストフレーム２′は、レンズホルダ２１に保持された左右のテストレンズ２５の間隔を被験者の瞳孔間隔に合わせるための調節手段を有していてもよい。【選択図】図５
2018198874.tif 000002
【特許請求の範囲】
【請求項１】
被験者の瞳孔間隔に合わせた間隔で配置された左右のテストレンズを有する検眼フレームにおいて、
テンプル及び左右の前記テンプルを連結するフロントフレームを有するベースフレームと、
前記テストレンズを交換自在に保持するレンズホルダを備えたテストフレームと、
このテストフレームを前記フロントフレームに対して着脱自在とする着脱手段と、
を有することを特徴とする検眼フレーム。
【請求項２】
前記テストフレームが中央で左右に分割されていることを特徴とする請求項１に記載の検眼フレーム。
【請求項３】
前記テストフレームは、前記レンズホルダに保持された左右のテストレンズの間隔を被験者の瞳孔間隔に合わせるための調節手段を有することを特徴とする請求項１に記載の検眼フレーム。
【請求項４】
前記着脱手段が、前記フロントフレームの中央の一カ所に形成された係合部と、前記テストフレームに形成され前記係合部と係合する被係合部とを有することを特徴とする請求項１〜３のいずれかに記載の検眼フレーム。
【請求項５】
前記係合部及び前記被係合部が凹部及び凸部であることを特徴とする請求項１〜４のいずれかに記載の検眼フレーム。
【請求項６】
前記フロントフレームの中央部の剛性を、その両側のリム部の剛性よりも大きくしたことを特徴とする請求項４又は５に記載の検眼フレーム。
【請求項７】
前記着脱手段が磁着体及びこれと磁着する被磁着体であることを特徴とする請求項１〜６のいずれかに記載の検眼フレーム。
【発明の詳細な説明】
【技術分野】
【０００１】
本発明は、眼鏡販売店や医療機関の眼科などで行われる視力検査のための検眼フレームに関する。
【背景技術】
【０００２】
病院の眼科や眼鏡販売店などで視力検査を行う際には、度数が異なるテストレンズを多数準備しておき、このテストレンズを着脱自在に保持する検眼フレームを被験者が装着して、前記検眼フレームの前記テストレンズを度数の異なるものに交換しながら、前記被験者の視力に最適な度数のレンズを決定するようにしている。  前記検眼フレームは、眼鏡フレームと同様の形態に形成されていて、前記テストレンズを保持する左右のレンズホルダを備えたフロントフレームと、このフロントフレームの両端に設けられたテンプルとを有している。そして、左右の前記テンプルを耳に掛けて前記検眼フレームを被験者の顔に装着することで、前記テストレンズが前記被験者の眼の前に位置するようになっている（例えば特許文献１の図面の第４図参照）。
【０００３】
ところで、上記したような検眼フレームを用いて視力検査を行うには、前記レンズホルダに保持された左右の前記テストレンズの間隔を、前記被験者の左右の瞳孔間隔に合わせる必要がある。人間の眼の瞳孔間隔は概ね５０ｍｍ〜７０ｍｍ程度であるため、従来はこの範囲内で前記レンズホルダの間隔の異なる複数の検眼フレームを準備しておき、前記被験者の瞳孔間隔に合ったテストレンズの間隔となる検眼フレームを選択して、視力検査を行っていた。
しかし、このような従来の検眼フレームには以下のような問題がある。
【０００４】
（１）（ａ）視力検査を正確に行うには、被験者ごとの瞳孔間隔の相違に応じて前記レンズホルダの間隔が異なる検眼フレームを多数準備しなければならない。例えば、テストレンズの間隔が５０ｍｍから２ｍｍ間隔で７０ｍｍまで準備するとすると、１１本の前記検眼フレームを準備しなければならず、視力検査のためのセットコストが高くなるうえ、収納も嵩張るという問題がある。
【０００５】
また、（ｂ）瞳孔間隔が小さく顔幅が大きい被験者の場合は、左右のテンプルを全開状態からさらに拡げて検眼フレームを被験者の顔に装着しており、テストレンズを保持するフロントフレームが撓んで正確な視力検査が困難になるという問題がある。
【０００６】
（１）（ａ）の問題を解決するために、左右のレンズホルダの間隔を調節できるようにした検眼フレームが提案されている（特許文献２〜４参照）。このような調節機構を備えた検眼フレームは、左右の前記レンズホルダを、フロントフレーム上で左右連動して又は左右別々にスライドできるように設け、被験者の瞳孔中心に合わせて位置決めできるようにしたもので、一つの検眼フレームを瞳孔間隔の異なる複数の被験者で共通して使用することができるという利点がある。
【先行技術文献】
【特許文献】
【０００７】
【特許文献１】ＷＯ９８／２６７０７号公報（図面の第４図参照）
【特許文献２】特開２０１０−２３９６８９号公報
【特許文献３】特開２００１−３４０２９６号公報（図面の図３、図４参照）
【特許文献４】特開平６−７３００号公報
【発明の開示】
【発明が解決しようとする課題】
【０００８】
しかし、このような左右のレンズホルダの調節機構を有する検眼フレームにおいては、以下のような問題点がある。
（２）  上記文献に記載の検眼フレームでは、レンズホルダを左右にスライドさせると、それに連動して左右のテンプルの間隔（テンプルを全開させたときの間隔、「テンプル間隔」と記載することがある）も変化してしまう。そのため、例えば顔幅が広く瞳孔間隔の狭い被験者では、瞳孔間隔に合わせて左右のレンズホルダを互いに接近させる方向にスライドさせると、左右のテンプルの間隔も小さくなってしまい、（１）(ｂ)の問題をさらに悪化させるという新たな問題が生じる。
【０００９】
なお、特許文献３の検眼フレームは、左右のテンプルの間隔を調節できるようになっているが（例えば図３の記載参照）、レンズホルダの間隔調節に合わせてテンプルの間隔調節を行う作業は手間がかかり煩わしいうえ、テストレンズと瞳孔の中心とを合わせたままで左右のテンプル間隔を調節するのは難しいという問題がある。
【００１０】
本発明は、上記したような従来の検眼フレームが有する問題点、すなわち、被験者の瞳孔間隔に合わせて多数本の検眼フレームが必要となりセットコストが高いうえ収納にも嵩張るという問題点及びテンプルを全開以上に拡げることでフロントフレームが撓むことにより検査精度が低下するという問題点を解決することができる検眼フレームの提供を目的とする。
【課題を解決するための手段】
【００１１】
上記の課題を解決するために請求項１に記載の眼鏡の検眼フレームは、被験者の瞳孔間隔に合わせた間隔で配置された左右のテストレンズを有する検眼フレームにおいて、テンプル及び左右の前記テンプルを連結するフロントフレームを有するベースフレームと、前記テストレンズを交換自在に保持するレンズホルダを備えたテストフレームと、このテストフレームを前記フロントフレームに対して着脱自在とする着脱手段とを有する構成としてある。
【００１２】
この構成によれば、瞳孔間隔に応じて前記レンズホルダの間隔の異なる前記テストフレームを複数準備しておけば、一つの前記ベースフレームに前記テストフレームを交換しながら被験者の瞳孔間隔に合った検査フレームを得ることができる。請求項２に記載するように、前記テストフレームを中央で左右に分割すれば、正中から瞳孔までの距離が左右で異なる被験者に対応することも可能になる。
請求項１，２に記載の検査フレームにおいては、被験者の左右の瞳孔に合わせた検査フレームで前記テストレンズを交換しながら前記被験者の視力検査を行うことができる。そのため、セットコストを低減でき、かつ、コンパクトに収納することも可能になる。
【００１３】
また、ベースフレームとテストフレームとが別体であることから、ベースフレームのテンプル間隔を常に一定とすることができる。さらに、テンプル間隔の異なるベースフレームを、被験者の顔幅のばらつきに応じて複数種類（２〜４種類程度）準備しておくことで、左右のテンプルを全開以上に拡げることによるフロントフレームの撓みの影響を小さくすることができ、視力検査の精度を高めることができる。
【００１４】
請求項３に記載するように、前記テストフレームには前記レンズホルダに保持された左右のテストレンズの間隔を被験者の瞳孔間隔に合わせるための調節手段を設けてもよい。
このような調節手段を設けることで、準備しなければならない検眼フレームの数を大幅に減らしてセットコストを削減できるほか、コンパクトに収納することが可能になる。
【００１５】
また、前記調節手段によって左右のテストレンズの間隔調節を行っても、ベースフレームとテストフレームとが別体であるため左右のテンプルの間隔は変化せず、左右のテンプルを全開以上に拡げることによって生じるフロントフレームの撓みの影響を小さくして、視力検査の精度を高めることができる。この場合も、被験者の顔幅のばらつきに応じてテンプル間隔が異なる複数種類（２〜４種類程度）のベースフレームを準備しておけば、前記フロントフレームの撓みの影響をさらに小さくして、視力検査の精度をさらに高めることができる。
【００１６】
請求項４に記載するように、前記着脱手段は、前記フロントフレームの中央の一カ所に形成された係合部と、前記テストフレームに形成され前記係合部と係合する被係合部とを有する構成としてもよい。この場合、請求項５に記載するように、前記係合部及び前記被係合部を凹部（貫通孔を含む）及び凸部としてもよい。また、請求項６に記載するように、前記フロントフレームのリム部の剛性を小さく、中央部の剛性を大きくするとよい。
なお、請求項７に記載するように、前記着脱手段としては磁石を用いてもよい。
【００１７】
請求項４に記載の構成によれば、テストフレームをフロントフレームの中央の一カ所においてほぼ点結合状態で着脱自在としているので、左右のテンプルを全開状態からさらに拡げることにより生じるフロントフレームの撓みの影響がテストフレームに伝達されにくくなり、フロントフレームの撓みによるテストレンズの位置ずれを抑制することができる。
左右のテンプルを全開状態からさらに拡げたときのフロントフレームの撓みは可能な限り小さくすることが好ましく、そのためにフロントフレームは材料の選択又は断面形状の工夫によって剛性の高いものとするのが好ましい。
【００１８】
また、請求項５に記載するように、着脱手段を凹凸の係合部及び被係合部で構成することで、フロントフレームにテストフレームを取り付ける際の位置決めを確実に行えるうえ、フロントフレームが撓んだ際にテストフレームに与える影響も抑制することができる。
【００１９】
さらに請求項６に記載するように、前記フロントフレームの中央部の剛性をその両側のリム部の剛性よりも大きくすることで、前記フロントフレームの撓みが前記リム部で吸収されるので、前記着脱手段を設けた中央部の撓みを小さくすることができる。なお、テストフレームはフロントフレームに対してボルトや止着ピンなどで固定するようにしてもよいが、請求項７に記載するように磁石を用いることで、ワンタッチでテストフレームをフロントフレームに着脱することができる。
【発明を実施するための最良の形態】
【００２０】
本発明の検眼フレームの好適な実施形態を、図面を参照しながら詳細に説明する。
図１及び図２は、本発明の検眼フレームの一実施形態にかかり、図１は検眼フレームを構成するベースフレームの説明図、図２は検眼フレームを構成するテストフレームの説明図である。
【００２１】
［ベースフレーム］
図１（ａ）はベースフレーム１の平面図、（ｂ）は正面図である。
ベースフレーム１は、左右のテンプル１１と、この左右のテンプル１１を連結するハーフリムタイプのフロントフレーム１０とを有している。テンプル１１は、フロントフレーム１０の端部に設けられた鎧部１３及びヒンジ１２を介して折り畳み自在に取り付けられている。
【００２２】
テンプル１１及びフロントフレーム１０は、チタンやステンレスなどの金属や樹脂など、通常の眼鏡フレームに用いられる材料で形成することができるが、フロントフレーム１０は、左右のテンプル１１を全開状態の間隔Ｌ以上に拡開させても、容易に撓まないような剛性を有するものとするのが好ましい。このようにフロントフレーム１０の剛性は肉厚や断面形状を適宜に選択することで高めることができる。
【００２３】
また、フロントフレーム１０は、左右のリム部１０ａと中央のブリッジ部１０ｂとを有しているが、図示するようにブリッジ部１０ｂの肉厚を左右のリム部１０ａの肉厚より大きくすることで、ブリッジ部１０ｂの剛性を左右のリム部１０ａの剛性より大きくすることができる。
そのため、左右のテンプル１１を間隔Ｌ以上に拡開させることよってフロントフレーム１０の両端に曲げ力が加えられた場合に、この曲げ力は剛性の小さい左右のリム部１０ａが撓むことで吸収され、剛性の大きいブリッジ部１０ｂの変形は抑制される。
【００２４】
ヒンジ１２には、テンプル１１の傾斜を調節できるような傾斜調節機構を設けるとよい。このような傾斜調節機構としては公知のものを用いることができる。また、鎧部１３はβチタンやステンレスなど高弾性のバネ材で形成するとよい。このようにすることで、鎧部１３を簡素な構成のバネ蝶番として機能させることが可能になり、テンプル１１を間隔Ｌ以上に拡開させた際にフロントフレーム１０に加わる曲げ力を緩和することができる。
【００２５】
フロントフレーム１０の中央には鼻パッド１５が設けられている。この鼻パッド１５は、フロントフレーム１０の高さ位置を調節することができるように、高さ調節機構１６を介してフロントフレーム１０に取り付けられる。高さ調節機構１６は、鼻パッド１５の高さ位置を調節できるものであればその構成は限定されず、公知のものを利用することができる。
また、フロントフレーム１０のブリッジ部１０ｂの上面には、凹状の係合部１４が一つ形成されている。係合部１４は有底のものでも貫通孔でもよい。この係合部１４は、後述するテストフレーム２の被係合部２４と係合することで、フロントフレーム１０にテストフレーム２を位置決めして取り付けるためのものである。
【００２６】
［テストフレーム］
図２（ａ）はテストフレーム１の平面図、（ｂ）は正面図である。
テストフレーム２は、フレーム本体２０とこのフレーム本体２０の左右に設けられてテストレンズ２５を保持するリング状のレンズホルダ２１と、フレーム本体２０の中央から一側に突出して設けられた支持部２２と、この支持部２２の下面に形成された矩形凸状の被係合部２４が形成されている。
左右のテストレンズ２５の間隔は、左右のレンズホルダ２１の距離ｈによって決定される。
【００２７】
被係合部２４は、フロントフレーム１０に形成された凹状の係合部１４に嵌め込まれて係合するものである。係合部１４と被係合部２４とをガタなく係合させるために両者の断面形状を同じものとし、かつ、フロントフレーム１０に対してテストフレーム２が回転しないようにするために、前記断面形状は角形状や楕円状とするのがよい。また、テストフレーム２をフロントフレーム１０の中央の一カ所においてほぼ点結合状態で取り付けることができるように、係合部１４及び被係合部２４の大きさは、捩れなどの外力に対する取付強度の許容範囲内で、可能な限り小さいものとするのが好ましい。
【００２８】
なお、係合部１４と被係合部２４とはボルトで締結するようにしてもよいが、磁石によって両者を磁着するようにすることで、フロントフレーム１０に対するテストフレーム２の着脱が容易になる。
【００２９】
レンズホルダ２１に保持されるテストレンズ２５と被験者の瞳孔との距離は適切なものに設定される必要があるが、この距離は、テストフレーム２をフロントフレーム１０に取り付けたときのフレーム本体２０とフロントフレーム１０との距離を長短調節することで設定が可能である。
フレーム本体２０とフロントフレーム１０との距離は、例えば、支持部２２の突出長さを変えるなどして、フレーム本体２０と被係合部２４との距離Ｓを長短変化させることで調節が可能である。
支持部２２をフレーム本体２０とは別体としてボルトなどでフレーム本体２０に交換自在とすることで、前記突出長さの異なる支持部２２を複数用意しておけば、支持部２２を交換することで一つのフレーム本体２０で距離Ｓを調節することが可能になる。
【００３０】
［テストフレームの別の形態］
図３に、テストフレームの別の実施形態の正面図を示す。
この実施形態のテストフレーム２′は、図２のテストフレーム２の中央で左右に分割されている（左のテストフレームを符号２′Ａ、右のテストフレームを符号２′Ｂで示す）。このテストフレーム２′をフロントフレーム１０に取り付けたときの左右のテストレンズ２５の間隔（図２（ｂ）において符号ｈで示される間隔）は、分割の基線である前記中央から右のレンズホルダ２１までの距離ｈ１と前記中央から左のレンズホルダ２１までの距離ｈ２との和によって決定される（ｈ＝ｈ１＋ｈ２）。
この実施形態のテストフレーム２′を用いれば、距離ｈ１，ｈ２が異なる左右のテストフレーム２′Ａ，２′Ｂを適宜に組み合わせることで、顔の正中から左右の瞳孔までの距離が相違する被験者にも対応が可能になる。
【００３１】
［テストフレームのさらに別の形態］
図４に、テストフレームのさらに別の実施形態の正面図を示す。
図４に示すように、この実施形態のテストフレーム２″のフレーム本体２０は、レンズホルダ２１を左右方向にスライドさせて位置決めする調節部２３を有している。調節部２３は、レンズホルダ２１の左右方向のスライドと位置決めが可能であればその構成は限定されず、特許文献２〜４に示した公知のものや市販の検眼フレームに採用されているものを利用することができる。また、調節部２３は、左右のレンズホルダ２１を連動させてスライドさせることができるものであってもよいし、左右のレンズホルダ２１を別々にスライドさせることができるものであってもよい。
【００３２】
［検眼フレームを用いた視力検査］
図１のベースフレーム１に図２のテストフレーム２又は図３のテストフレーム２′を取り付けた検眼フレームＦを図５に示す。図５（ａ）は検眼フレームの平面図、（ｂ）は正面図である。
【００３３】
［準備］
上記したように人の瞳孔間隔は概ね５０ｍｍ〜７０ｍｍの範囲内である。例えばこの範囲を２ｍｍ間隔で複数に区分し、区分ごとにレンズホルダ２１の間隔が異なる複数のテストフレーム２，２′を準備する（２ｍｍ間隔の場合は１１個のテストフレーム２，２′が必要となる）。
【００３４】
なお、人の顔は中心から側頭部に向けてカーブしていることから、一般にレンズホルダ２１の間隔が変化するとテストレンズ２５と瞳孔との距離も変化する。そのため、視力検査の精度を高めるには、テストホルダ２５と瞳孔との距離が一定になるように、レンズホルダ２１の間隔の変化に伴ってフレーム本体２０と被係合部２４との距離Ｓ（図２（ａ）参照）を変えるようにする。
【００３５】
なお、図４に示すような調節部２３を有するテストフレーム２″では、一つの調節部２３で５０ｍｍ〜７０ｍｍの全範囲に対応させることは可能であり、このようにすればテストフレーム２″は一つあればよい。しかし、上記したように人の顔は中心から側頭部に向けてカーブしていることから、視力検査の精度を高めるには、例えば上記の範囲を５０〜５５ｍｍ、５５〜６０ｍｍ、６０〜６５ｍｍ、６５〜７０ｍｍのように四つに区分し、各区分ごとにテストレンズ２５とフロントフレーム１０との距離を変えたテストフレーム２″を準備するのが好ましい。各区分ごとのテストレンズ２５とフロントフレーム１０との距離は、前記と同様に距離Ｓ（図２（ａ）参照）を区分ごとに変えることで設定することができる。
【００３６】
より正確な視力検査を行うためには、テストフレーム２，２′，２″だけでなく、ベースフレーム１についても被験者の顔幅の大小に合わせて、左右のテンプル１１の間隔Ｌが異なる複数種類（好ましくは２〜４種類程度）を準備するのが好ましい。
【００３７】
［作用及び視力検査］
被験者の顔幅に合わせて適切なテンプル間隔のベースフレーム１を選択するとともに、複数のテストフレーム２の中から一つを選択してベースフレーム１に交換しながら、当該被験者の瞳孔間隔に合った適切な間隔のテストレンズ２５を備えたテストフレーム２，２′を選択する。
【００３８】
特に図示はしないが、調節部２３を備えるテストフレーム２″（図４参照）を用いる場合は、検眼フレームＦを被験者の顔に装着し、調節部２３を操作して左右のレンズホルダ２１の間隔を被験者の瞳孔間隔に合わせる。
このようにして左右のテストレンズ２５の間隔ｈを瞳孔間隔に合わせた後、高さ調節機構１６を使って鼻パッド１５の高さを調節し、左右のレンズホルダ２１に保持されたテストレンズ２５の中心を左右の瞳孔の中心に合わせる。
【００３９】
上記のように設定された検眼フレームＦを被験者の顔にかける際、被験者の顔幅が左右のテンプル１１の全開時の間隔Ｌよりも大きいと、フロントフレーム１０にはその左右両端からフロントフレーム１０を撓ませようとする曲げ力が作用する。本発明の検眼フレームＦのフロントフレーム１０は剛性が高いため、このような曲げ力が作用してもフロントフレーム１０の撓みを小さく抑制することができる。
【００４０】
また、テストフレーム２がフロントフレーム１０の中央の一点で取り付けられていること、リム部１０ａの剛性がこのような撓みを吸収するようにブリッジ部１０より低い剛性とされていること及びこれらの協働により、フロントフレーム１０が撓んでも当該撓みがテストフレーム２に与える悪影響を極めて小さく抑制することができる。
【００４１】
特に本発明は、フロントフレーム１０の剛性を高めようとするほど重量が増して掛け心地が悪くなるという問題を、ある程度フロントフレーム１０の撓みを許容しつつ、撓みが発生してもこれによる悪影響を効果的に抑制することで解決して、フロントフレーム１０の重量と掛け心地を良好に保ちながら正確な視力検査を行うことができるという利点がある。
以上の手順で検眼フレームＦを被験者の顔に装着した後は、左右のレンズホルダ２１にテストレンズ２５を装着し、テストレンズ２５を交換しながら被験者の視力検査を行う。
【００４２】
本発明の好適な実施形態について説明したが、本発明は上記の説明によって限定されるものではない。
例えば、前記着脱手段は、凸状の係合部１４をフロントフレーム１０に形成し、凹状の被係合部２４をテストフレーム２に形成するようにしてもよい。また、上記の説明で係合部１４と被係合部２４は、上下方向から係合されるものとしているが、係合部１４をフロントフレーム１０の中央前面に設け、被係合部２４をテストフレーム２の中央後面に設けることで、前後方向から係合係１４と被係合部２４とを係合させることが可能になる。
【００４３】
さらに上記の説明では、フレーム本体２０と被係合部２４との距離Ｓはフレーム本体２０からの支持部２２の突出長さによって設定することが可能であるとして説明したが、支持部２２をフレーム本体２０と別体とし、調節ネジによって支持部２２とフレーム本体２０との距離を可変とすれば、一つのテストフレーム２で人の瞳孔間隔の違い（概ね５０ｍｍ〜７０ｍｍ）に対応することが可能になる。なお、鼻パッド１５の取付位置をフロントフレーム１０に対して前後に調節可能とすることでも、一つのテストフレーム２で人の瞳孔間隔の違い（概ね５０ｍｍ〜７０ｍｍ）に対応することが可能になる。
【００４４】
また、テンプル１１はフロントフレーム１０に対して左右方向にスライドできるようにしてもよい。例えば、鎧部１３のフロントフレーム１０側の一端に長孔を形成し、フロントフレーム１０と鎧部１３とを前記長孔を挿通させたボルトで連結するようにすれ、前記長孔の範囲内でテンプル１１を左右方向にスライドさせることが可能になる。このようにすれば、左右のレンズホルダ２１をスライドさせても、左右のテンプル１１の間隔Ｌを一定に保つことができる。
【００４５】
さらにフロントフレーム１０は、ハーフリムタイプに限らずフルリムタイプのものであってもよく、フルリムタイプとすることでフロントフレーム１０の剛性を高めることができる。
【図面の簡単な説明】
【００４６】
【図１】図１（ａ）はベースフレームの平面図、（ｂ）は正面図である。
【図２】図２（ａ）はテストフレームの平面図、（ｂ）は正面図である。
【図３】図３は別の実施形態のテストフレームの正面図である。
【図４】図４（ａ）はさらに別の実施形態のテストフレームの平面図、（ｂ）は正面図である。
【図５】図５（ａ）は検眼フレームの平面図、（ｂ）は正面図である。
【符号の説明】
【００４７】
１        ベースフレーム
１０      フロントフレーム
１０ａ    リム部
１０ｂ    ブリッジ部
１１      テンプル
１２      ヒンジ
１３      鎧部
１４      係合部
１５      鼻パッド
１６      高さ調節機構
２，２′，２″  テストフレーム
２０      フレーム本体
２１      レンズホルダ
２２      支持部
２３      調節部
２４      被係合部
２５      テストレンズ
Ｌ        テンプルを全開させたときの間隔
Ｓ        フレーム本体と被係合部との距離
Ｆ        検眼フレーム
ｈ        テストレンズの間隔
【図１】
2018198874.tif 000003
【図２】
2018198874.tif 000004
【図３】
2018198874.tif 000005
【図４】
2018198874.tif 000006
【図５】
2018198874.tif 000007